(57)【要約】【課題】高い防塵、防水性能と、枠ケースの回動機能とを同時に備えた測定器を提供すること。【解決手段】本発明の測定器は、本体ケース２を枠ケース３に対して近接する方向に締付け可能、かつ本体ケース２に対して枠ケース３を回動可能に保持する締付け手段６０が設けられているとともに、本体ケース２と枠ケース３とが近接する方向において、本体ケース２と枠ケース３との対向面間にはＯリング６１が挿入されている。締付け手段６０は、枠ケース３の外周部に形成されたおねじ部６２と、本体ケース２に回動可能に設けられ、おねじ部６２と螺合するめねじ部６５を有する袋ナット６３と、本体ケース２の開口面側にＯリング６１を保持するためのアダプタ６４とを備える。【選択図】  図４
2004340720.tif 000002
【特許請求の範囲】
【請求項１】
測定手段を有する本体ケースと、前記本体ケースの開口部に装着され、前記測定手段による測定結果を表示する表示手段を有する枠ケースとを備えた測定器において、
前記枠ケースを前記本体ケースに対して近接する方向へ締付け可能かつ、前記本体ケースに対して前記枠ケースを回動可能に保持する締付け手段と、
前記枠ケースが接近する方向において、前記本体ケースと前記枠ケースとの対向面間に挿入された弾性部材とを備えることを特徴とする測定器。
【請求項２】
請求項１に記載の測定器において、
前記締付け手段は、前記本体ケースおよび前記枠ケースのいずれか一方に形成されたおねじと、前記本体ケースおよび前記枠ケースのいずれか他方に回動自在に設けられ、前記おねじに螺合されるめねじを有するナット部材とを備えることを特徴とする測定器。
【請求項３】
請求項２に記載の測定器において、
前記おねじは、前記枠ケースの外周面に形成され、
前記ナット部材は、内周面の一端側に前記めねじを有し、かつ他端側に内部へ向かって突出する凸部を有する袋ナットであり、前記本体ケースの外周に回動可能に設けられ、
前記本体ケースの開口端側には、外周面に向かって突出し、前記袋ナットの前記凸部と当接する凸部を有するアダプタが設けられていることを特徴とする測定器。
【請求項４】
請求項３に記載の測定器において、
前記アダプタは、前記弾性部材を保持するための溝部を備えることを特徴とする測定器。
【発明の詳細な説明】
【０００１】
【発明の属する技術分野】
本発明は、測定器に関する。
【０００２】
【背景技術】
デジタル式の表示部を持つ測定器としては、例えば、ダイヤルゲージが知られている。ダイヤルゲージの中には、本体ケースに対して、表示部を有する枠ケースを回動可能に構成したものが知られている（例えば特許文献１参照）。
従来、ダイヤルゲージの表示部回動機構は、枠ケースの内周面と、本体ケースの外周面に溝部を形成し、これらの溝部の間にＯリングなどの弾性部材を介して本体ケースと枠ケースを嵌合させ、枠ケースを本体ケースに対して回動可能に形成した構成である（例えば特許文献２）。また、このとき間に挟んだＯリングを弾性変形させ、本体ケースおよび枠ケースの溝部に密着させることで防塵、防水機能を実現していた。
【０００３】
【特許文献１】
特開平３−１２２４３号公報（図２）
【特許文献２】
特開平１０−１１１１０２号公報
【０００４】
【発明が解決しようとする課題】
このような特許文献１や特許文献２では、ダイヤルゲージの防塵、防水性能はあまり高いものではない。これは、枠ケースに回動機能を持たせていることに原因がある。
ダイヤルゲージなどでは、枠ケースの内周面と、本体ケースの外周面に溝部を形成し、これらの溝部の間にＯリングなどの弾性部材を介して本体ケースと枠ケースを嵌合させているが、枠ケースのスムーズな回動を可能とするためにＯリングを強くつぶしすぎないような寸法構造がとられている。つまり枠ケースを回動させるためにＯリングが本体ケースおよび枠ケースの溝部に強く密着しすぎないように設計されており、そのことが防塵、防水性能を損なう要因となっていた。
以上から、高い防塵、防水性能と枠ケースの回動機能とを同時に持たせることは困難であった。
【０００５】
本発明の目的は、高い防塵、防水性能と、枠ケースの回動機能とを同時に持たせることができる測定器を提供することである。
【０００６】
【課題を解決するための手段】
本発明の測定器は、測定手段を有する本体ケースと、前記本体ケースの開口部に装着され、前記測定手段による測定結果を表示する表示手段を有する枠ケースとを備えた測定器において、前記枠ケースを本体ケースに対して近接する方向へ締付け可能かつ、前記本体ケースに対して前記枠ケースを回動可能に保持する締付け手段と、前記枠ケースが接近する方向において、前記本体ケースと前記枠ケースとの対向面間に挿入された弾性部材とを備えることを特徴とする。
【０００７】
本発明では、本体ケースと枠ケースとの対向面間に弾性部材を挟んだ上で締付け手段によってこれらを締付けると、弾性部材は締付け力に応じて弾性変形され、本体ケースおよび枠ケースに密着された状態となることから、高い防塵、防水性能を持たせることができる。また、締付け手段による締付けを緩めると、弾性部材は元の形状に復元するので、枠ケースを本体ケースに対してスムーズに回動させることができる。よって、枠ケースの向き、つまり表示部の向きが所望の向きになる位置に枠ケースを回動させてから締付け手段を再度締付けると、弾性部材は再び本体ケースおよび枠ケースの溝部に密着させられた状態となるので、高い防塵、防水性能と枠ケースの回動機能を同時に持たせることができる。
【０００８】
本発明の測定器において、前記締付け手段は、前記本体ケースおよび前記枠ケースのいずれか一方に形成されたおねじと、前記本体ケースおよび前記枠ケースのいずれか他方に回動自在に設けられ、前記おねじに螺合されるめねじを有するナット部材とを備える構成であるのが好ましい。
この発明によれば、本体ケースおよび枠ケースのいずれか他方に設けられたナット部材を、一方のケースのおねじに対して緩める方向に回すと、本体ケースに対して枠ケースが回動できる状態となり、この状態で枠ケースを回すことにより表示部の向きを変えることができる。
【０００９】
本発明の測定器において、前記おねじは、前記枠ケースの外周面に形成され、前記ナット部材は、内周面の一端側に前記めねじを有し、かつ他端側に内部へ向かって突出する凸部を有する袋ナットであり、前記本体ケースの外周に回動可能に設けられ、前記本体ケースの開口端側には、外周面に向かって突出し、前記袋ナットの前記凸部と当接する凸部を有するアダプタが設けられている構成であるのが好ましい。
この発明によれば、枠ケースの外周面に形成されたおねじに対して螺合されている袋ナットの内周面に形成されためねじが外れたとしても、袋ナット側の凸部とアダプタ側の凸部が当接しているため、袋ナットが本体ケースから脱落することを防止できる。これにより、本体ケースから枠ケースを取り外しても本体ケースおよび枠ケースから部品が外れることはなく、部品の紛失といったことがなくなり、内部の掃除や修理といったメンテナンス作業を容易にすることができる。
【００１０】
本発明の測定器において、前記アダプタは、前記弾性部材を保持するための溝部を備える構成であるのが好ましい。
この発明によれば、アダプタに溝部を形成することで、本体ケースには余計な加工を加える必要がなく、アダプタを別部材とすることで、同じ寸法を持つ全ての製品に同様のアダプタを使用することができるので、生産ラインを一本化でき、生産コストの削減になるという効果がある。
【００１１】
【本発明の実施の形態】
以下、本発明の実施の形態を図面に基づいて説明する。
図１は、本発明の一実施の形態を示す正面図である。
図２は、図１のＩＩ−ＩＩ線断面である。
【００１２】
ダイヤルゲージ１は、一端面が開口された円筒形状で測定手段を持つ本体ケース２と、この本体ケース２の一端面に回動自在に装着された円筒形状で測定手段の測定した測定結果を表示する表示手段を持つ枠ケース３とから構成されている。
【００１３】
本体ケース２には、他端面略中央にダイヤルゲージ支持鍔４が一体形成されているとともに、外周壁上部に連結部材５を介してスピンドル保護筒６が、外周壁下部にステム７が、互いに同一軸線上でかつ本体ケース２の中心を通る軸線上に沿ってそれぞれ取り付けられている。ステム７には、上端のヘッド部８Ａがスピンドル保護筒６内に嵌合されたスピンドル８が摺動自在に挿入されている。スピンドル８には、ステム７の下方より突出した下端に測定子９が設けられているとともに、本体ケース２内に位置する略中央位置にスケール取付台１０およびスプリング係止ピン１１がそれぞれ取り付けられている。スプリング係止ピン１１と本体ケース２の内周壁との間には、スピンドル８を図中下方へ付勢するとともにスピンドル８の回動を規制する役目も果たす引張ばね１２が張設されている。また、スケール取付台１０には、メインスケール１３がスピンドル８の軸線に対して平行に取り付けられている。
【００１４】
また、本体ケース２の一端面内周壁には、スピンドル８の軸線方向を直径とする段上の円周縁３１が形成され、この円周縁３１には保持部材３２が数本のビスにより固定されている。保持部材３２には、図３に示すように、略中央に切り欠き３３が形成されているとともに、この切り欠き３３の位置に、ホルダ３４が保持されている。
【００１５】
ホルダ３４には、メインスケール１３の光学格子面と対向する位置にインデックススケール３５および受光器３６が設けられているとともに、インデックススケール３５の両側（図３中インデックススケール３５を挟んだ上下方向）にメインスケール１３上を滑動するための駒３７が形成されている。なお、インデックススケール３５にも、メインスケール１３の光学格子と対応する光学格子が形成されている。また、ホルダ３４は、一端が保持部材３２に固定された片持ちばね３８によりメインスケール１３に接する方向へ常時付勢されている。さらに、メインスケール１３を挟んで受光器３６と反対側位置に発光器３９が支持台４０を介して保持部材３２に固定されている。保持部材３２の正面側には、スペーサ５１を介して基盤５２が基盤２２と平行に固定されている。
基盤５２には、スピンドル８の軸方向変位量を検出するためのエンコーダ５３および電池５４が取り付けられている。
【００１６】
一方、枠ケース３の正面には、中央にスピンドル８の移動量に基づく測定値をデジタル表示するデジタル表示部２１が設けられている。枠ケース３の内部には、スピンドル８の変位量に基づく測定値をデジタル表示部２１に表示するための表示用電装品２３を有する基盤２２が固定されている。
【００１７】
また、本体ケース２と枠ケース３との間には、本体ケース２を枠ケース３に対して近接する方向に締付け可能、かつ本体ケース２に対して枠ケース３を回動可能に保持する締付け手段６０が設けられているとともに、本体ケース２と枠ケース３とが近接する方向において、本体ケース２と枠ケース３との対向面間には弾性部材としてのＯリング６１が挿入されている。
締付け手段６０は、図４に示すように、枠ケース３の外周部に形成されたおねじ部６２と、本体ケース２に回動可能に設けられ、おねじ部６２に螺合されるめねじ部６５を有するナット部材としての袋ナット６３と、本体ケース２の開口面側に取り付けられ、Ｏリング６１を保持するためのアダプタ６４とを備える。
【００１８】
袋ナット６３は、円筒形状で一端側の内周面にめねじ部６５が形成されている。また、他端側は内部方向に向かって突出した袋ナット側凸部６６を有する。この袋ナット側凸部６６の内周円の寸法は本体ケース２の開口端側外周円の寸法よりもわずかに大きくなるように設計されている。
アダプタ６４は、円筒形状で本体ケース２の開口面側に設けられており、本体ケース２の外周面側に袋ナット側凸部６６の内側の高さ寸法と略同じ寸法分だけ突出し、袋ナット側凸部６６と当接するアダプタ側凸部６７と、枠ケース３との対向面間にＯリング６１を保持するためのアダプタ側溝部６８と、アダプタ６４の内周面側でアダプタ側溝部６８の反対側に突出し、本体ケース２の内周面と隙間なく嵌合する筒部６９とを備える。
Ｏリング６１は、アダプタ６４に形成されたアダプタ側溝部６８に沿うようにして保持されている。また枠ケース３にはアダプタ側溝部６８に対向する位置に断面Ｖ字状に形成された枠ケース側溝部７０が形成されており、アダプタ側溝部６８と同様にＯリング６１を保持する。
【００１９】
このように構成されているダイヤルゲージ１は、袋ナット６３の内周部に形成されているめねじ部６５と、枠ケース３の外周部に形成されているおねじ部６２とを螺合させ、袋ナット６３を回動させることで本体ケース２と枠ケース３とを近接方向に締付ける。その際に、袋ナット６３によって本体ケース２と枠ケース３とを近接方向に締付けるとＯリング６１も締付け力に応じて弾性変形し、アダプタ側溝部６８と枠ケース側溝部７０に密着させられ、高い防塵、防水性能を実現する。
また、袋ナット６３による締付けを緩めると、アダプタ側凸部６７と袋ナット側凸部６６との間、アダプタ６４と枠ケース３との間に隙間ができ、枠ケース３をスムーズに回動させることができるようになる。これによりデジタル表示部２１を使用目的にあった向きに動かすことができ、デジタル表示部２１の向きを決めたら再び袋ナット６３により本体ケース２と枠ケース３とを近接方向へ締付ける。
【００２０】
このような実施の形態によれば、次の効果を奏することができる。
（１）本体ケース２に取り付けられたアダプタ６４のアダプタ側溝部６８と枠ケース３側に形成された枠ケース側溝部７０との対向面間にＯリング６１を挟んだ上で袋ナット６３によってこれらを締付けると、Ｏリング６１は締付け力に応じて弾性変形され、アダプタ側溝部６８と枠ケース側溝部７０とに密着された状態となることから、高い防塵、防水性能を持たせることができる。また、袋ナット６３による締付けを緩めると、Ｏリング６１は元の形状に復元するので、枠ケース３を本体ケース２に対してスムーズに回動させることができる。枠ケース３の向き、つまりデジタル表示部２１の向きが所望の向きになる位置に枠ケース３を回動させてから袋ナット６３を再度締付けると、Ｏリング６１は再びアダプタ側溝部６８と枠ケース側溝部７０に密着させられた状態となるので、高い防塵、防水性能と枠ケース３の回動機能を同時に持たせることができる。
【００２１】
（２）本体ケース２とアダプタ側凸部６７との間に挟まれるように設けられている袋ナット６３を、枠ケース３の外周部に形成されているおねじ部６２に対してねじを緩める方向に回動させると、アダプタ側凸部６７と袋ナット側凸部６６との間に隙間ができることで枠ケース３を回動させられる状態となり、この状態で枠ケース３を回すことでデジタル表示部２１の向きを変えることができる。
（３）枠ケース３の外周部に形成されているおねじ部６２に対して螺合されている袋ナット６３の内周面に形成されためねじ部６５が外れたとしても、袋ナット側凸部６６は本体ケース２とアダプタ側凸部６７との間に挟まれ、アダプタ側凸部６７と当接するように設けられているため袋ナット６３が本体ケース２から脱落することを防止できる。
【００２２】
（４）アダプタ６４にアダプタ側溝部６８を形成し、本体ケース２に嵌合させることで、本体ケース２に余計な加工をくわえる必要がなく、また、製品は違っても同寸法であれば全てのダイヤルゲージに同じアダプタ６４を使用することができる。
（５）アダプタ６４を本体ケース２に嵌合させる際に、アダプタ６４を本体ケース２との間に隙間ができないような寸法にすることで、本体ケース２とアダプタ６４との間から塵や水が入ってくるのを防止することができる。
（６）枠ケース側溝部７０をＶ字状に形成することで枠ケース３を回動させる際に、Ｏリング６１上を枠ケース３が滑動しやすくすることができる。
【００２３】
〔実施形態の変形〕
以上、本発明について好適な実施形態を上げて説明したが、本発明は、これらの実施形態に限定されるものではなく、本発明の要旨を逸脱しない範囲において種々の改良ならびに設計の変更が可能である。
【００２４】
本実施形態において、袋ナット６３およびアダプタ６４は本体ケース２側に設けられている部材であるが、この構造を本体ケース２と枠ケース３で逆にし、枠ケース３側に袋ナット６３およびアダプタ６４を設け、本体ケース２側の外周部におねじ部６２を形成する構成でも構わない。
また、本体ケース２へのアダプタ６４の取付け方法は、接着、圧入など本体ケース２とアダプタ６４との間に隙間ができない方法であれば何でも良い。
【００２５】
また、アダプタ側溝部６８および枠ケース側溝部７０の形状は実施の形態で示したものに限らず、Ｏリング６１を保持し、かつＯリング６１上を滑動しやすい形状であればよい。
また、締付け手段６０はおねじ部６２とめねじ部６５との螺合を使用しているが、本体ケース２と枠ケース３との近接方向に力を加えて対向面間に挟んだＯリング６１を弾性変形させることができる手段であればこの限りではない。
【００２６】
【発明の効果】
以上に述べたように、本発明の測定器によれば、高い防塵、防水性能と表示部を備えた枠ケースの回動機能とを同時に持たせることができる。
【図面の簡単な説明】
【図１】本発明の実施形態における測定器の正面図である。
【図２】図１におけるＩＩ−ＩＩ線断面図である。
【図３】図２におけるＩＩＩ−ＩＩＩ線断面図である。
【図４】図２における締付け手段６０の拡大図である。
【符号の説明】
１…ダイヤルゲージ
２…測定手段を備えた本体ケース
３…表示手段を備えた枠ケース
６０…締付け手段
６１…弾性部材としてのＯリング
６２…おねじ部
６３…ナット部材としての袋ナット
６４…アダプタ
６５…めねじ部
６６…袋ナット側凸部
６７…アダプタ側凸部
６８…アダプタ側溝部
【図１】
2004340720.tif 000003
【図２】
2004340720.tif 000004
【図３】
2004340720.tif 000005
【図４】
2004340720.tif 000006